(57)【要約】      （修正有）【課題】３次元形状を組み立てる磁石組み立て玩具を提供する。【解決手段】８面体を水平軸に沿って２等分することにより形成される半８面体を、垂直軸に沿って２等分することにより形成される四半８面体状において、異極性の磁石２が、２つ１組で面の角の２等分線に対称に、これらの角の辺である面の縁から等しく間隔を開けて配置されることと、磁石が極性を交互に配置され、各長方形面の内部に４つの磁石を配置する。【選択図】図４
0003226443.tif 000002
【実用新案登録請求の範囲】
【請求項１】
各面の内部に位置する磁石を有する多面体状の要素を有し、
４面体、又は８面体、又は立方体、又は４面体を垂直軸に沿って等分することにより形成される半４面体、又は８面体を前記垂直軸にそって等分することにより形成される半８面体、又は８面体を水平軸に沿って等分することにより形成される半８面体、又は８面体を前記水平軸に沿って２等分することにより形成される半８面体を、前記垂直軸に沿って２等分することにより形成される四半８面体状で作製される要素と、
４面体、８面体、立方体状に作製される要素において、並びに接合されて４面体を形成し、４面体を前記垂直軸に沿って等分することにより形成される半４面体、及び接合されて８面体を形成し、８面体を前記垂直又は水平軸に沿って等分することにより形成される半８面体、及び８面体を前記水平軸にそって２等分することにより形成される半８面体を、前記垂直軸に沿って２等分することにより形成される四半８面体において、異極性の磁石が、２つ１組で面の角の２等分線に対称に、これらの角の辺である面の縁から等しく間隔を開けて配置されることと、磁石が極性を交互に配置されることと、
正三角形、正方形の辺、不規則二等辺三角形の底辺、及び直角三角形の斜辺である前記要素の面の縁の長さが等しいことと、を特徴とする磁石組み立て玩具。
【請求項２】
８面体を前記水平軸に沿って２等分することにより形成される半８面体を、前記垂直軸に沿って２等分することにより形成される四半８面体状の前記要素において、各長方形面の内部に位置する４つの磁石を特徴とする、請求項１に記載の磁石組み立て玩具。
【請求項３】
４面体を前記垂直軸に沿って等分することにより形成される半４面体、８面体を前記水平軸に沿って２等分することにより形成される半８面体を、前記垂直軸に沿って２等分することにより形成される四半８面体、並びに８面体を前記垂直軸にそって等分することにより形成される半８面体状の前記要素において、各直角三角形の面の内部に位置する３個の磁石を特徴とする、請求項１に記載の磁石組み立て玩具。
【請求項４】
立方体要素の各面の内部に位置する３２個の磁石又は８個の磁石と、
３２個の磁石が８角形の頂点を形成する８個の磁石の４群に分割され、２つ１組で面の角の２等分線に対称であり、この場合、内部に位置する３２個の磁石を有する立方体要素の面の長さが、内部に位置する８個の磁石を有する立方体要素の面の長さより２倍長いことと、を特徴とする請求項１に記載の磁石組み立て玩具。
【請求項５】
８面体又は４面体要素の各面内部に位置する２４個の磁石又は６個の磁石と、
２４個の磁石が６角形の頂点を形成する６個の磁石の４群に分割され、２群が面の角の２等分線により２等分されるように、他の２群がこの２等分線に対称であるように配置されることと、内部に位置する２４個の磁石を有する８面体又は４面体要素の面の長さが、内部に位置する６個の磁石を有する８面体又は４面体要素の面の長さより２倍長いことと、を特徴とする請求項１に記載の磁石組み立て玩具。
【考案の詳細な説明】
【技術分野】
【０００１】
磁石組み立て玩具は魅力的なゲームであり、３次元形態を組み立てるのに使用され得る。
【背景技術】
【０００２】
先端技術は、モジュール内部に磁気要素を有する組み立て玩具があることを示している。
【０００３】
最も近い相当物は以下の通りである。
【０００４】
木製の磁石組み立て玩具［１］は、ある面の内部に配置された磁石を有する３次元の幾何学的形状の要素からなる。
【０００５】
すべての図形面が磁石を有するのではなく、異なる複雑な構造を組み立てるためにすべての要素表面を用いず、同じ極性の２つの要素の接続時には、磁性面は互いに反発する。
【０００６】
この製品の欠点は、組み立てられる形態の種類が限定されること、使用上不便であること、使用法が複雑であること、及び遊戯性が低いことである。
【０００７】
本実用新案の最も近い相当物は、米国特許第７２４７０７５号明細書に記載の磁石積み木［２］である。ピラミッド形に作られた３次元のモジュールからなり、各モジュールが各面に１つ、底に２つの磁気ディスクを有する。
【０００８】
１つの磁石が１つの面に固定されるため、同じ極性の磁性面は、２つの要素の接触時に互いに反発する。複雑な形状を組み立てると、磁石が面のほぼ中央に配置されるため、また要素の縁が磁界により固定されないため、その形は安定性を失う。
【０００９】
この磁石積み木の欠点は、１つの形状のみの使用、並びに互いに要素を確実に固定するには不十分な磁石の数及び配置である。これにより、この磁石組み立て玩具を用いて組み立てられる形状の種類が減少し、その使用法が複雑になり、その遊戯性が限定される。
【先行技術文献】
【特許文献】
【００１０】
【特許文献１】米国特許第７２４７０７５号明細書
【非特許文献】
【００１１】
【非特許文献１】Ｃｏｎｓｔｒｕｃｔｉｏｎ  ｔｏｙ，電子カタログ，［ｏｎｌｉｎｅ］，［２０１７年４月２８日検索］，インターネット＜ＵＲＬ：ｈｔｔｐ：／／ｗｗｗ．ｔｅｇｕ．ｃｏｍ／ｐｏｃｋｅｔ−ｐｏｕｃｈ−ｐｒｉｓｍ−ｉｎ−ｓｕｎｓｅｔ＞
【考案の概要】
【考案が解決しようとする課題】
【００１２】
提案された実用新案の課題は、磁石組み立て玩具の遊戯性を改善すること、この磁石組み立て玩具を用いて組み立てられる構造の種類を増加させること、このような構造の構成を簡素化すること、その安定性を確保することである。
【課題を解決するための手段】
【００１３】
磁石組み立て玩具の課題は、多面体状の要素を有する磁石組み立て玩具において、磁石が各面の内部に位置し、要素が４面体、又は８面体、又は立方体、又は４面体を垂直軸に沿って等分することにより形成される半４面体、又は８面体を垂直軸にそって等分することにより形成される半８面体、又は８面体を水平軸に沿って等分することにより形成される半８面体、又は８面体を水平軸にそって２等分することにより形成される半８面体を、垂直軸に沿って２等分することにより形成される四半８面体の形状で作製され、４面体、８面体、立方体、並びに接合されて４面体を形成し、４面体を垂直軸に沿って等分することにより形成される半４面体、及び接合されて８面体を形成し、８面体を垂直又は水平軸に沿って等分することにより形成される半８面体、及び８面体を水平軸にそって２等分することにより形成される半８面体を、垂直軸に沿って２等分することにより形成される四半８面体状で作製される要素において、異極性の磁石は２つ１組で、面の角の２等分線に対称であり、これらの角の辺である面の縁から等しく間隔が開けられ、磁石は極性を交互に配置され、正三角形、正方形の辺、不規則二等辺三角形の底辺、及び直角三角形の斜辺である要素の面の縁の長さが等しく、磁石は極性を交互に配置され、正三角形、正方形の辺、不規則二等辺三角形の底辺、及び直角三角形の斜辺である要素の面の縁の長さが等しいことにより、要素の比較の容易さ、及び互いに強化された固定を提供することで達成される。同時に、８面体を水平軸に沿って２等分することにより形成される半８面体を、垂直軸に沿って２等分することにより形成される四半８面体状である要素において、４つの磁石が各長方形の面内部に位置することができ、４面体を垂直軸に沿って等分することにより形成される半４面体、８面体を水平軸に沿って２等分することにより形成される半８面体を、垂直軸に沿って２等分することにより形成される四半８面体、並びに８面体を垂直軸に沿って２等分することにより形成される半８面体状の要素において、３つの磁石が各三角形の面内部に位置することができ、立方体要素において、３２個の磁石又は８個の磁石が各面内部に位置することができ、３２個の磁石は、８角形の頂点を形成する８個の磁石の４群に分割され、２つ１組で面の角の２等分線に対称であり、内部に位置する３２個の磁石を有する立方体要素の面の長さは、内部に位置する８個の磁石を有する立方体要素の面の長さの２倍長くなり得、８面体又は４面体要素において、２４個の磁石又は６個の磁石が各面の内部に位置することができ、２４個の磁石は６角形の頂点を形成する６個の磁石の４群に分割され、２つの群が面の角の２等分線により２等分されるように、一方他の２群がこの２等分線に対称であるように配置され、内部に位置する２４個の磁石を有する８面体又は４面体要素の面の長さは、内部に位置する６個の磁石を有する８面体又は４面体要素の面の長さより２倍長くなり得る。
【００１４】
本磁石組み立て玩具は、各面１の内部に位置する磁石２を有する多面体状の要素を含有する。
【００１５】
本実用新案の顕著な特徴は、４面体３、又は８面体４、又は立方体５、又は４面体を垂直軸に沿って等分することにより形成される半４面体６、又は８面体を垂直軸に沿って等分することにより形成される半８面体７、又は８面体を水平軸に沿って等分することにより形成される半８面体８、又は８面体を水平軸に沿って２等分することにより形成される半８面体を、垂直軸に沿って２等分することにより形成される四半８面体９状である要素の実行と、４面体３、８面体４、立方体５状の要素において、並びに接合されて４面体３を形成し、４面体３を垂直軸にそって等分することにより形成される半４面体６、及び接合されて８面体４を形成し、８面体４を垂直又は水平軸に沿って等分することにより作製されるそれぞれ半８面体７及び８、及び８面体４を水平軸に沿って２等分することにより形成される半８面体８を、垂直軸にそって２等分することにより形成される四半８面体９において、２つ１組で面１の角１１の２等分線１０に対称であり、これらの角１１の辺である面１の縁１２から等しく間隔を置かれた異極性の磁石２の配置と、極性が交互である磁石２の配置と、正三角形、正方形の辺、不規則二等辺三角形の底辺、及び直角三角形の斜辺である要素の面の縁が等しい長さであることと、が挙げられる。
【考案の効果】
【００１６】
本実用新案を実施することにより達成される技術結果は、磁石組み立て玩具により形成される構造の種類の増加、見た目の改善及び安定性改善、要素接続の単純化、並びに互いに確実な固定からなる。
【００１７】
実用新案の内容は、要素の面内部における磁石配置の概要を示す以下の図により説明する。
【図面の簡単な説明】
【００１８】
【図１】図１は磁石組み立て玩具の全体図である。
【図２】図２はＡ−Ａ−Ａ−Ａの図である。
【図３】図３は４面体状に作られた磁石組み立て玩具要素の全体図である。
【図４】図４は８面体状に作られた磁石組み立て玩具要素の全体図である。
【図５】図５は立方体状に作られた磁石組み立て玩具要素の全体図である。
【考案を実施するための形態】
【００１９】
磁石組み立て玩具は以下のように用いられる。要素は面の接触により連結され、この場合、磁界により縁に沿って互いに対して整列する。
【００２０】
優先的に使用される形態においては、磁石組み立て玩具は、４面体、又は８面体、又は立方体、又は４面体を垂直軸に沿って等分することにより形成される半４面体、又は８面体を垂直軸にそって等分することにより形成される半８面体、又は８面体を水平軸にそって２等分することにより形成される半８面体、又は８面体を水平軸に沿って２等分することにより形成される半８面体を、垂直軸に沿って２等分することにより形成される四半８面体状の要素、又は特定の要素の任意の組合せからなる。要素の面は、正方形、長方形、正三角形、二等辺三角形及び直角三角形であり、この場合、正三角形、正方形の辺、不規則二等辺三角形の底辺、及び直角三角形の斜辺である要素の面の縁の長さが等しい。立方体要素は２つのサイズが提供されている。３２個の磁石又は８個の磁石が各面の内部に位置することができ、３２個の磁石は、８角形の頂点を形成する８個の磁石の４群に分割され、２つ１組で面の角の２等分線に対称であり、この場合、内部に３２個の磁石を有する立方体要素の面の長さが、内部に８個の磁石を有する立方体要素の面の長さより２倍長くなり得る。８面体又は４面体状の要素も、２つのサイズが提供されている。２４個の磁石又は６個の磁石が各面の内部に位置し、２４個の磁石は６角形の頂点を形成する６個の磁石の４群に分割され、２つの群が面の角の２等分線により２等分されるように、一方他の２つの群がこの２等分線に対称であるように配置され、内部に２４個の磁石を有する８面体又は４面体要素の面の長さは、内部に６個の磁石を有する８面体又は４面体要素の面の長さより２倍長い。１つの面の内部に配置される互いに最も近い磁石は、極性を交互に位置する。特定のサイズにおいて、任意の要素の任意の面は同等であり、相補的である。組み立てられた構造は、これらを安定にする強い結合を有する。
【図１】
0003226443.tif 000003
【図２】
0003226443.tif 000004
【図３】
0003226443.tif 000005
【図４】
0003226443.tif 000006
【図５】
0003226443.tif 000007